(57)【要約】      （修正有）【課題】所定プリント枚数ごとに画像安定化動作を原則として実施する画像形成装置において、プリント途中で画像安定化動作の実施によってユーザを待たす確率を少なくした画像形成装置を提供する。【解決手段】プリント枚数履歴記録部３０１は所定期間の間の七曜ごと、単位時間ごとのプリント枚数を記録する。集計算出部３０３は所定期間内の各七曜ごとに単位時間ごとの平均プリント枚数を計算し、１日における使用時間帯を決定した後、平均プリント枚数の最小となる時間帯を優先時間帯とし、平均プリント枚数の最大となる時間帯を禁止時間帯とする。制御タイミング決定部３０５は優先時間帯に画像安定化動作を実行するよう画像安定化制御実行部３０６を起動する。また、禁止時間帯に所定プリント枚数に達したとき、後の時間帯になるまで画像安定化動作の実行を待つ。【選択図】図３
2007193278.tif 000002
【特許請求の範囲】
【請求項１】
画像安定化動作を行う画像形成装置であって、
所定期間内のプリント履歴を記録する記録手段と、
記録されたプリント履歴から１日における使用時間帯を決定し、単位時間帯ごとの使用頻度を集計する集計手段と、
前記集計手段で決定された使用時間帯において、使用頻度の少ない単位時間帯に画像安定化動作を実行させる制御手段とを備えることを特徴とする画像形成装置。
【請求項２】
前記画像安定化動作の実行は、所定のプリント枚数ごとに実行され、
前記制御手段は、前記集計手段で決定された使用時間帯において、使用頻度の多い時間帯に画像安定化動作を実行させないことを特徴とする請求項１記載の画像形成装置。
【請求項３】
前記集計手段は、
前記集計手段で集計された使用時間帯において、使用頻度の最小となる単位時間帯を優先時間帯と決定する優先時間帯決定部を有し、
前記制御手段は、前記優先時間帯に画像安定化制御を実行させることを特徴とする請求項１記載の画像形成装置。
【請求項４】
前記集計手段は、
前記集計手段で集計された使用時間帯において、使用頻度の最大となる単位時間帯を禁止時間帯と決定する禁止時間帯決定部を有し、
前記制御手段は、前記禁止時間帯に所定のプリント枚数に達したとき、前記禁止時間帯の後の単位時間帯に画像安定化動作を実行させることを特徴とする請求項２記載の画像形成装置。
【請求項５】
前記集計手段は、
前記集計手段で集計された使用時間帯において、使用頻度の最大となる単位時間帯を禁止時間帯と決定する禁止時間帯決定部を有し、
前記制御手段は、前記禁止時間帯の前の時間帯に禁止時間帯中にプリントされる枚数を予測し、前記禁止時間帯中に前記所定のプリント枚数に達すると推測したとき、禁止時間帯の前の時間帯に画像安定化動作を実行させることを特徴とする請求項２記載の画像形成装置。
【請求項６】
前記禁止時間帯中にプリントされる枚数は、禁止時間帯の前の時間帯が始まるまでにプリントされている現在のプリント枚数に、前記集計手段で集計されたプリント履歴に記録されている禁止時間帯の前の時間帯と禁止時間帯との合計プリント枚数を加えた枚数であることを特徴とする請求項５記載の画像形成装置。
【請求項７】
前記所定期間は、複数週以上の期間であり、祝祭日の情報を加味して使用頻度の少ない所定の七曜や祝祭日を前記集計から除外し、前記使用時間帯は七曜ごとに決定されることを特徴とする請求項１記載の画像形成装置。
【請求項８】
感光体の表面を帯電させる帯電手段と、
感光体の表面に静電潜像を形成する露光手段と、
静電潜像をトナーにより顕在化してトナー像を形成する現像手段とを更に備え、
前記制御手段は、帯電条件、露光条件、現像条件の少なくとも１つを調整することを特徴とする請求項１記載の画像形成装置。
【請求項９】
画像安定化動作を行う画像形成装置の画像形成方法であって、
所定期間内のプリント履歴を記録する記録ステップと、
記録されたプリント履歴から１日における使用時間帯を決定し、単位時間帯ごとの使用頻度を集計する集計ステップと、
前記集計手段で決定された使用時間帯において、使用頻度の少ない単位時間帯に画像安定化動作を実行させる制御ステップとを有することを特徴とする画像形成方法。
【請求項１０】
前記画像安定化動作の実行は、所定のプリント枚数ごとに実行され、
前記制御ステップは、前記集計ステップで決定された使用時間帯において、使用頻度の多い時間帯に画像安定化動作を実行させないことを特徴とする請求項９記載の画像形成方法。
【請求項１１】
前記集計ステップは、
前記集計ステップで集計された使用時間帯において、使用頻度の最小となる単位時間帯を優先時間帯と決定する優先時間帯決定サブステップを有し、
前記制御ステップは、前記優先時間帯に画像安定化制御を実行させることを特徴とする請求項９記載の画像形成方法。
【発明の詳細な説明】
【技術分野】
【０００１】
本発明は、画像安定化制御を行う画像形成装置およびその画像形成方法に関する。
【背景技術】
【０００２】
例えば、電子写真方式の画像形成装置において、像担持体上に描かれるトナーの付着量は、同一の帯電条件、露光条件、現像条件においても、環境や履歴などの外乱により変化する。そのため、画像形成装置には像担持体上に描かれるトナーの付着量を検知するためのトナー付着量センサが装着されており、そのセンサ検出の結果に基づき、適正で安定した画像が出力されるように、帯電条件、露光条件、現像条件を制御できる画像安定化制御機能が搭載されている。
【０００３】
この画像安定化制御が起動するタイミングは、予め定められたプリント枚数ごとに起動されることが多い。
また、最近の画像形成装置のプリント速度は、速くなっているが、プリント中に画像安定化制御が起動されると、ユーザに待ち時間を与えてしまい、プリント速度向上の効果が発揮されなくなる。
【特許文献１】特開平１０‐２２２０２３号公報
【発明の開示】
【発明が解決しようとする課題】
【０００４】
このような特定のタイミングで画像安定化制御が起動する画像形成装置では、ユーザがプリントしているときに、画像安定化制御の実行タイミングに入ると、たとえそのプリント枚数が少数であったとしても、プリント途中でプリントを中断して画像安定化制御が起動してしまい、その間、ユーザは待機する必要がある。このような問題は、電子写真方式に限られるものではなく、インクジェット方式、その他の記録方式の画像形成装置にも同様に発生する。
【０００５】
本発明は、画像安定化制御が起動するタイミングを工夫することで、待ち時間の短縮を図るものである。
【課題を解決するための手段】
【０００６】
上記課題を解決するため、本発明は、画像安定化動作を行う画像形成装置であって、所定期間内のプリント履歴を記録する記録手段と、記録されたプリント履歴から１日における使用時間帯を決定し、単位時間帯ごとの使用頻度を集計する集計手段と、前記集計手段で決定された使用時間帯において、使用頻度の少ない単位時間帯に画像安定化動作を実行させる制御手段とを備えることとしている。
【発明の効果】
【０００７】
上述のような構成によって、ユーザの使用頻度の少ない時間帯で画像安定化動作が実行されるので、ユーザの待機する確率を減少させることができる。
また、前記画像安定化動作の実行は、所定のプリント枚数ごとに実行され、前記制御手段は、前記集計手段で決定された使用時間帯において、使用頻度の多い時間帯に画像安定化動作を実行させないこととしている。
【０００８】
このような構成によって、使用頻度の多い時間帯に画像安定化動作が実行されることを回避して、ユーザがプリント途中に待たされることを防止することができる。
また、前記集計手段は、前記集計手段で集計された使用時間帯において、使用頻度の最小となる単位時間帯を優先時間帯と決定する優先時間帯決定部を有し、前記制御手段は、前記優先時間帯に画像安定化制御を実行させることとしている。
【０００９】
このような構成によって、使用頻度の最小となる時間帯を優先時間帯と決定し、この優先時間帯に画像安定化動作を実行させるのでユーザがプリント途中でもされる確率は最小となる。
また、前記集計手段は、前記集計手段で集計された使用時間帯において、使用頻度の最大となる単位時間帯を禁止時間帯と決定する禁止時間帯決定部を有し、前記制御手段は、前記禁止時間帯に所定のプリント枚数に達したとき、前記禁止時間帯の後の単位時間帯に画像安定化動作を実行させることとしている。
【００１０】
このような構成によって、使用頻度の最大となる時間帯を禁止時間帯と決定し、所定のプリント枚数ごとに実施される画像安定化動作の時間がこの時間帯に一致したとしても、画像安定化動作の実行をこの禁止時間帯の後の時間帯まで待って行うこととして、ユーザがプリント途中で待たされる確率を減少させることができる。
また、前記集計手段は、前記集計手段で集計された使用時間帯において、使用頻度の最大となる単位時間帯を禁止時間帯と決定する禁止時間帯決定部を有し、前記制御手段は、前記禁止時間帯の前の時間帯に禁止時間帯中にプリントされる枚数を予測し、前記禁止時間帯中に前記所定のプリント枚数に達すると推測したとき、禁止時間帯の前の時間帯に画像安定化動作を実行させることとしている。
【００１１】
このような構成によって、禁止時間帯に所定のプリント枚数に達することを回避して、その前の時間帯に画像安定化動作を実行することとするので、画像品質の低下を招くことなく、ユーザをまたす確率を低下させることができる。
また、前記禁止時間帯中にプリントされる枚数は、禁止時間帯の前の時間帯が始まるまでにプリントされている現在のプリント枚数に、前記集計手段で集計されたプリント履歴に記録されている禁止時間帯の前の時間帯と禁止時間帯との合計プリント枚数を加えた枚数であることとしている。
【００１２】
このような構成によって、禁止時間帯中にプリントされる枚数が正確に予測されるので、画像安定化動作を禁止時間帯の前の時間帯に確実に実行して画像品質の低下を防止することができる。
また、  前記所定期間は、複数週以上の期間であり、祝祭日の情報を加味して使用頻度の少ない所定の七曜や祝祭日を前記集計から除外し、前記使用時間帯は七曜ごとに決定されることとしている。
【００１３】
このような構成によって、プリント履歴から得られる使用頻度の信頼性が向上する。
また、感光体の表面を帯電させる帯電手段と、感光体の表面に静電潜像を形成する露光手段と、静電潜像をトナーにより顕在化してトナー像を形成する現像手段とを更に備え、  前記制御手段は、帯電条件、露光条件、現像条件の少なくとも１つを調整することとしている。
【００１４】
このような構成によって、画像安定化動作が確実に実行することができる。
また、本発明は、画像安定化動作を行う画像形成装置の画像形成方法であって、所定期間内のプリント履歴を記録する記録ステップと、記録されたプリント履歴から１日における使用時間帯を決定し、単位時間帯ごとの使用頻度を集計する集計ステップと、前記集計手段で決定された使用時間帯において、使用頻度の少ない単位時間帯に画像安定化動作を実行させる制御ステップとを有することとしている。
【００１５】
このような方法によって、ユーザの使用頻度の少ない時間帯で画像安定化動作が実行されるので、ユーザの待機する確率を減少させることができる。
また、前記画像安定化動作の実行は、所定のプリント枚数ごとに実行され、前記制御ステップは、前記集計ステップで決定された使用時間帯において、使用頻度の多い時間帯に画像安定化動作を実行させないこととしている。
【００１６】
このような方法によって、使用頻度の多い時間帯に画像安定化動作が実行されることを回避して、ユーザがプリント途中に待たされることを防止することができる。
また、前記集計ステップは、前記集計ステップで集計された使用時間帯において、使用頻度の最小となる単位時間帯を優先時間帯と決定する優先時間帯決定サブステップを有し、
前記制御ステップは、前記優先時間帯に画像安定化制御を実行させることとしている。
【００１７】
このような方法によって、使用頻度の最小となる時間帯を優先時間帯と決定し、この優先時間帯に画像安定化動作を実行させるのでユーザがプリント途中でもされる確率は最小となる。
【発明を実施するための最良の形態】
【００１８】
以下、本発明に係る画像形成装置の実施の形態について図面を用いて説明する。
（一実施の形態）
図１は、本発明に係る画像形成装置の実施の形態１の一例であるタンデム型のフルカラー複写機の概略の構成を示す図である。
この画像形成装置は、ローラ１０１、１０２、１０３、１０４に張架されて図中反時計方向（矢符１０５方向）に回転駆動される中間転写ベルト１０６を備えている。ローラ１０２には、中間転写ベルト１０６上の残留トナー等を除去するクリーナ１０７が対向して配置されている。ローラ１０１には、２次転写ローラ１０８が対向して配置されている。２次転写ローラ１０８の上方には、定着装置１０９が設置されている。
【００１９】
ローラ間には、中間転写ベルト１０６に対し、ローラ１０２からローラ１０１に向けてイエロー画像形成部１１０、マゼンタ画像形成部１２０、シアン画像形成部１３０、ブラック画像形成部１４０がこの順序で配置されている。各画像形成部１１０、１２０、１３０、１４０には、ドラム型の感光体１を備えており、その感光体１の周囲に帯電装置２、露光装置３、現像装置４、１次転写チャージャ５および感光体１上の残留トナー等を除去するクリーナ６がこの順序で配置されている。現像装置４には、感光体１に対向して現像ローラ４１が配置されている。１次転写チャージャ５は中間転写ベルト１０６を介して感光体１に対向している。
【００２０】
露光装置３は、制御部２０１からの駆動信号を受けて画像形成のためのレーザ光を発し、感光体ドラム１上を主走査方向に露光走査させる。感光体ドラム１は、前記露光を受ける前にクリーナ６で表面の残存トナーが除去され、帯電装置２により一様に帯電されており、このように一様に帯電した状態で上記レーザ光による露光を受けると、感光体ドラム１の表面に静電潜像が形成される。
【００２１】
各静電潜像は、それぞれ各色の現像装置４により現像され、これにより感光体ドラム１表面に各色のトナー像が形成され、一次転写チャージャ５に印加された電圧により生じる静電力により、回転する中間転写ベルト１０６上に順次転写されていく。
この際、各色の作像動作は、そのトナー像が中間転写ベルト１０６上の同じ位置に重ね合わせて一次転写されるように、上流側から下流側に向けてタイミングをずらして実行される。これにより、トナー像は、中間転写ベルト１０６上において順に重ねられることになる。
【００２２】
中間転写ベルト１０６上に転写されたトナー画像は、ローラ１０１と二次転写ローラ１０８との間で両ローラ間に生じる静電力により記録紙Sに記録され、定着装置１０９によって定着される。
また、画像安定化制御時に中間転写ベルト１０６上に描かれるトナーパッチのトナー付着量を読みとるためのトナー付着量センサ１５１が、中間転写ベルト１０６に対向して配置されている。
【００２３】
なお、画像形成装置の構成は本実施の形態に限定されないのは勿論である。
図２は、図１の画像形成装置における制御回路の概略を示す構成図である。
各画像形成部の帯電装置２には、制御部２０１の指示のもとに、その画像形成部用の出力可変帯電用電源YPW2,MPW2,CPW2またはKPW2から感光体帯電用の所定の高電圧が、所定のタイミングで印加される。各画像形成部の現像装置４の現像ローラ４１には、制御部２０１の指示のもとに、その画像形成部用の現像バイアス電源YPW4,MPW4,CPW4またはKPW4から所定の現像バイアス電圧が所定のタイミングで印加される。
【００２４】
各画像形成部の１次転写チャージャ５や２次転写ローラ１０８に対しても制御部２０１の指示のもとに各１次転写チャージャ用電源および各２次転写ローラ用電源（図示せず）から所定の転写電圧が所定のタイミングで印加される。
さらに、各画像形成部における露光装置３や感光体１、現像装置４の各駆動モータ等、また中間転写ベルト１０６を張架したローラを駆動するモータや２次転写ローラ駆動モータ、定着装置等も制御部２０１の指示のもとに、所定タイミングで起動するよう構成されている。
【００２５】
次に、画像形成装置の画像安定化制御の実行のための構成を説明する。
図３は、画像形成装置の画像安定化制御の実行のための機能構成図である。
この画像形成装置は、プリント枚数履歴記録部３０１と、内蔵時計３０２と、集計算出部３０３と、カレンダー機能３０４と、制御タイミング決定部３０５と、画像安定化制御実行部３０６と、プリント枚数間隔保持部３０７と、プリント枚数カウント部３０８とを備えている。
【００２６】
プリント枚数履歴記録部３０１は、所定期間のプリント履歴を記録する。このためカウンタｉを有し、内蔵時計３０２を参照して、１日単位で単位時間当たりのプリント枚数を記録する。
図４は、プリント枚数履歴記録部３０１の記憶領域に用意されたプリント枚数履歴テーブルの様式の一例を示す図である。
【００２７】
プリント枚数履歴テーブル４０１には、単位時間４０２ごとに１週間４０３分のプリント枚数を記録するエントリーが設けられている。ここでは、単位時間４０２を１時間としているが、３０分単位でもよいし、２時間単位でも良いし、その他の任意の単位時間とすることができる。
ここで、内蔵時計３０２は、２４時間ごとにリセットされるものとする。
【００２８】
カウンタｉは、各単位時間の最初にリセットされ、プリントが１枚されるごとにｉが１ずつインクリメントされる。単位時間を経過すると、対応するエントリーにプリント枚数が記録される。なお、このプリント枚数履歴記録部３０１の動作については後述する。
内蔵時計３０２は、２４時間制で、時を刻む。
集計算出部３０３は、プリント枚数履歴記録部３０１に記録されたプリント枚数履歴テーブル４０１から七曜ごとの所定期間の履歴を抽出する。
【００２９】
図５は、抽出された集計テーブルを示す図である。
集計テーブル５０１は、特定の七曜例えば月曜日の所定の期間例えば４週間分を示している。集計テーブル５０１の右の欄５０２には、各単位時間帯における過去４週の平均プリント枚数が計算されている。この最下欄５０３には、過去４週間の１日平均プリント枚数が計算されている。なお、この集計テーブル５０１は、月曜日ものであり、他の曜日についても同様に集計されている。また、この集計テーブル５０１には、見つけることができないが、１日の合計プリント枚数が１日の平均プリント枚数より極端に少ない日は、この集計テーブルのデータから除外される。例えば、１日の平均プリント枚数の１／１０以下の日のデータを除外する。
【００３０】
集計算出部３０３は、集計した集計テーブルのその日の平均プリント枚数履歴（過去４週分の単位時間帯あたりの平均プリント枚数）を基に使用時間帯を決定する。
図６（ａ）は、月曜日の平均プリント枚数履歴を示している。平均プリント枚数履歴６０１の最下欄には、その１日の合計プリント枚数を２４で除算した１時間当たりの平均プリント枚数が計算されている。集計算出部３０３は、この平均プリント枚数を超える時間帯を使用時間帯として決定する。この際、１日のうち、最初に平均プリント枚数を超える最初の開始時刻と最後の終了時刻との間を使用時間帯とする。
【００３１】
図６（ｂ）は、図６（ａ）に示した平均プリント枚数履歴６０１の平均プリント枚数履歴グラフ６０２を示している。破線６０３は、１時間当たりの平均プリント枚数を示している。この平均プリント枚数を超える時間は、８時が開始時刻であり、１９時が終了時刻となる。従って、使用時間帯は矢印６０４に示すように８時から１９時の間と決定される。集計算出部３０３は、さらに、この使用時間帯におけるプリント枚数（使用頻度）が最小となる単位時間帯を優先時間帯６０５に決定する。また、この使用時間帯におけるプリント枚数（使用頻度）が最大となる単位時間帯を禁止時間帯６０６に決定する。
【００３２】
集計算出部３０３は、使用時間帯および優先時間帯６０５、禁止時間帯６０６を制御タイミング決定部３０５に通知する。図６（ａ）、（ｂ）に示すこの月曜日の使用時間帯は、８時から始まり１９時に終了する。優先時間帯６０５は、Ｓ１２時から１３時であり、禁止時間帯６０６は、１３時から１４時である。なお、集計算出部３０３の動作については後述する。
【００３３】
カレンダー機能３０４は、暦を記憶している。この暦によって、集計算出部３０３は、祝祭日や日曜日等の休日を予め知って、プリント履歴からこの休日を除外してもよい。
制御タイミング決定部３０５は、集計算出部３０３から通知された使用時間帯および優先時間帯６０５、禁止時間帯６０６ならびに前回の画像安定化制御の実行後のプリント枚数に基づいて、画像安定化制御実行部３０６を起動させる。
【００３４】
制御タイミング決定部３０５は、先ず、自身が有する優先実行フラグをリセットする。内蔵時計３０２から通知される時刻が、集計算出部３０３から通知された優先時間帯にあるか否かを判定し、優先時間帯にあれば、優先実行フラグが立っているときには何もしないが、優先実行フラグが立っていないときには、優先実行フラグを立て、画像安定化制御実行部３０６を起動する。
【００３５】
また、制御タイミング決定部３０５は、プリント要求があるときに、プリント枚数カウント部３０８から通知されるカウンタｊの値がプリント枚数間隔保持部３０７に保持されている所定の枚数Ｊを超えるか否かを判定する。超えていると判定したとき、内蔵時計３０２が示す時刻が集計算出部３０３から通知された禁止時間帯に属するか否かを判定する。禁止時間帯に属さないときには、画像安定化制御実行部３０６を起動する。禁止時間帯に属するときには、禁止時間帯が終了するのを待って画像安定化制御実行部３０６を起動する。
【００３６】
制御タイミング決定部３０５は、画像安定化制御実行部３０６が画像安定化動作を実行した後、プリント枚数カウント部３０８にカウンタｊを０に初期化させるリセット指示をする。
画像安定化制御実行部３０６は、制御タイミング決定部３０５から起動されると、画像形成部を制御して画像安定化動作を実行する。
【００３７】
ここで、画像安定化動作を再び図１および図２を参照して、簡単に説明する。
中間転写ベルト１０６上にある決められた現像条件、帯電条件、露光条件のもとで階調が異なる複数のトナーパッチを描き、そのトナー付着量をトナー付着量センサ１５１で読み取り、センサ出力値から実際の出力画像の階調特性を検知する。このセンサ検出結果に基づき、画像安定化動作実施後に適正な階調の画像が出力されるように、制御部２０１にて現像条件、帯電条件、露光条件が決定され、画像安定化動作実施後のプリント時には、決定された各条件に基づいて現像動作等が制御される。この画像安定化動作は、階調補正の一例であるが、他の画像安定化動作、例えば公知のγ補正を実行してもよいし、また、中間転写ベルト１０６上のトナーパッチの間隔を測定し、各色の書込みタイミングを適正なものとなるよう露光条件等を制御するレジスト補正を実行してもよい。
【００３８】
プリント枚数間隔保持部３０７は、画像形成装置でプリントされた枚数が所定の枚数に達すると原則として画像安定化動作を実行させるその所定の枚数Ｊを保持している。この枚数Ｊは、任意に設定することができる。
プリント枚数カウント部３０８は、カウンタｊを有し、画像形成装置のプリント枚数をカウントし、制御タイミング決定部３０５にその値ｊを通知する。また制御タイミング決定部３０５からリセット指示を受けると、カウンタｊをゼロにする。
【００３９】
次に、本実施の形態の動作について、フローチャートを用いて説明する。
図７は、プリント枚数履歴記録部３０１の動作を説明するフローチャートである。
先ず、プリント枚数履歴記録部３０１は、タイマーをリセットし、始動させる（Ｓ７０２）。２４時間が経過したか否かを判定し（Ｓ７０４）、経過していればＳ７０２に戻り、経過していなければ、カウンタｉをリセットする（Ｓ７０６）。
【００４０】
記録紙Ｓにプリントされたか否かを判定し（Ｓ７０８）、プリントされたときはカウンタｉを１インクリメントし（Ｓ７１０）、プリントされていないときには単位時間が経過したか否かを判定する（Ｓ７１２）。単位時間が経過していないときは、Ｓ７０８に戻る。単位時間が経過しているときは、単位時間当りのプリント枚数ｉをプリント枚数履歴テーブル４０１の対応するエントリーに記録し（Ｓ７１４）、Ｓ７０４に戻る。
【００４１】
図８は、集計算出部３０３の動作を説明するフローチャートである。
集計算出部３０３は、プリント枚数履歴記録部３０１に記録された過去４周分の七曜ごと、単位時間ごとのプリント枚数を抽出する（Ｓ８０２）。
次に、１日ごとのプリント枚数を集計し、１日の平均プリント枚数を計算する（Ｓ８０４）。１日の平均プリント枚数の１／１０以下のプリント枚数の日の履歴データを集計から除外する（Ｓ８０６）。七曜ごとの平均プリント枚数Ｄを計算する（Ｓ８０８）。七曜ごとの単位時間当りの平均プリント枚数Ｔｍ＝Ｄ／２４を計算する（Ｓ８１０）。
【００４２】
七曜ごとの各単位時間当りの平均プリント枚数Ｔを計算する（Ｓ８１２）。七曜ごとにＴ＞＝Ｔｍとなる最初の開始時刻と最後の終了時刻との間を使用時間帯とする（Ｓ８１４）。
七曜ごとに使用時間帯で最大プリント枚数Ｔを示す単位時間帯を禁止時間帯とする（Ｓ８１６）。七曜ごとに使用時間帯で最小プリント枚数Ｔを示す単位時間帯を優先時間帯とする（Ｓ８１８）。
【００４３】
次に、制御タイミング決定部３０５の動作について、図９のフローチャートを用いて説明する。
制御タイミング決定部３０５は、先ず、優先実行フラグをリセットする（Ｓ９０２）。内蔵時計３０２を参照して、集計算出部３０３から通知された優先時間帯か否かを判定する（Ｓ９０４）。優先時間帯でなければ、Ｓ９１４に移る。優先時間帯であれば、優先実行フラグが立っているか否かを判定し（Ｓ９０６）、立っているときは、Ｓ９１４に移る。当たっていないときは、優先実行フラグを立てて（Ｓ９０８）、画像安定化制御実行３０６を起動する。画像安定化制御実行部３０６は、画像安定化動作を実行する（Ｓ９１０）。
【００４４】
制御タイミング決定部３０５は、プリント枚数カウント部３０８にカウンタｊを０に初期化するよう指示する。プリント枚数カウント部３０８は、カウンタｊ＝０とする（Ｓ９１２）。
次に、制御タイミング決定部３０５は、プリント要求が有るか否かを判定し（Ｓ９１４）、なければＳ９０４に戻り、有るときには、ｊ＞＝Ｊであるか否かを判定し（Ｓ９１６）、ｊがＪ未満であれば、プリントを実行し、カウンタｊを１インクリメントする（Ｓ９２０）。ジョブが終了したか否かを判定し（Ｓ９２２）、終了していればＳ９０４に戻り、終了していなければＳ９１６に戻る。
【００４５】
Ｓ９１６において、ｊがＪ以上であれば、禁止時間帯であるか否かを判定する（Ｓ９１８）。禁止時間帯でなければ、原則どおりＳ９１０に移る。禁止時間帯であれば、Ｓ９２０に移り、プリントを実行する。
以上のように、本実施の形態では、優先時間帯に優先的に画像安定化動作を実行させ、禁止時間帯には、画像安定化動作を実施させずに、禁止時間帯の後の時間帯に画像安定化動作を実行させるようにすることによって、プリントをするユーザを待たせる確率をできるだけ少なくするようにしている。
（変形例）
上記実施の形態では、所定のプリント枚数Ｊに達したとき、画像安定化動作を実施することとして、その画像安定化動作が禁止時間帯中に発生したとき、禁止時間帯の後の時間帯で画像安定化動作を実施することとしたけれども、上記実施の形態の変形例として、禁止時間帯に画像安定化動作の実施がされることを予測して、禁止時間帯の前の時間帯に画像安定化動作の実行をするようしたものである。
【００４６】
以下、図１０に示すフローチャートを用いて説明する。
図９に示したＳ９０２の後に、制御タイミング決定部３０５は、集計算出部３０３から通知された禁止時間帯の前の時間帯か否かを判定する（Ｓ１００２）。否であればＳ１００８に移る。肯定であれば、現在のプリント枚数（カウンタｊの値）に前の時間帯と禁止時間帯とのプリント平均枚数を平均プリント枚数履歴６０１から読み出して加え、その値がＪ以上か否かを判定する（Ｓ１００４）。Ｊ未満のときはＳ１００８に移る。
【００４７】
肯定のときは、画像安定化動作をこの前の時間帯で実行する（Ｓ１００６）。
Ｓ１００８において、優先時間帯か否かを判定する。優先時間帯であれば優先実行フラグを立てて（Ｓ１０１０）、図９のＳ９０４に戻る。優先時間帯でなければ同様にＳ９０４に戻る。
以上のように、この変形例では、禁止時間帯の前の時間帯で画像安定化動作の実行を済ませてしまうので、禁止時間帯にプリント途中に画像安定化動作を実行する確率を少なくすることができる。
【００４８】
なお、上記実施の形態では、図３に画像形成装置の機能構成図を示したけれども、各部の機能をコンピューターに発揮させるプログラムで実現してもよいのは勿論である。
また、画像形成装置としては、画像安定化制御を行う公知のモノクロ／カラーの複写機、プリンタ、FAX,やこれらの複合機などいずれにも適用できるのは勿論である。
【産業上の利用可能性】
【００４９】
本発明に係る画像形成装置は、プリンタや複写機の画像安定化動作のタイミングをユーザの利用履歴に応じて、効率的に行うことの出来るものとして事務機器分野で広く利用することができる。
【図面の簡単な説明】
【００５０】
【図１】本発明に係る画像形成装置の一実施の形態の一例であるタンデム型のフルカラー複写機の概略を示す構成図である。
【図２】上記実施の形態の画像形成装置の制御回路を示す構成図である。
【図３】上記実施の形態の画像形成装置の画像安定化動作を実施するための機能構成図である。
【図４】上記実施の形態のプリント枚数履歴記録部の記憶領域に記録されるプリント枚数履歴テーブルの一例を示す図である。
【図５】上記実施の形態の集計算出部で抽出された集計テーブルの一例を示す図である。
【図６】（ａ）は、過去４週の月曜日の平均プリント枚数履歴の一例を示す図である。
【００５１】
（ｂ）は、（ａ）に示した平均プリント枚数履歴をグラフ化した図である。
【図７】上記実施の形態のプリント枚数履歴記録部の動作を説明するフローチャートである。
【図８】上記実施の形態の集計算出部の動作を説明するフローチャートである。
【図９】上記実施の形態の制御タイミング決定部の動作を説明するフローチャートである。
【図１０】上記実施の形態の変形例である制御タイミング決定部の動作を説明するフローチャートである。
【符号の説明】
【００５２】
１  感光体
２  帯電装置
３  露光装置
４  現像装置
５  一次転写チャージャ
６  クリーナ
Ｓ  記録紙
１０１  ローラ
１０２  ローラ
１０３  ローラ
１０４  ローラ
１０６  転写ベルト
１０７  クリーナ
１０８  一次転写ローラ
１０９  定着装置
１１０  イエロー画像形成部
１２０  マゼンタ画像形成部
１３０  シアン画像形成部
１４０  ブラック画像形成部
２０１  制御部
３０１  プリント枚数履歴記録部
３０２  内蔵時計
３０３  集計算出部
３０４  カレンダー機能
３０５  制御タイミング決定部
３０６  画像安定化制御実行部
３０７  プリント枚数間隔保持部
３０８  プリント枚数カウント部
【図１】
2007193278.tif 000003
【図２】
2007193278.tif 000004
【図３】
2007193278.tif 000005
【図４】
2007193278.tif 000006
【図５】
2007193278.tif 000007
【図６】
2007193278.tif 000008
【図７】
2007193278.tif 000009
【図８】
2007193278.tif 000010
【図９】
2007193278.tif 000011
【図１０】
2007193278.tif 000012